(57)【要約】本発明は、空気処理装置に関する。本発明による空気処理装置は、一側が少なくとも一つの汚染空間と接続される第１の空気通路部と、汚染空間内の汚染空気を前記第１の空気通路部に流入させる第１の空気吸入部と、便器貯水槽内に形成される隔壁及び隔壁内に形成され、第１の空気通路部の他側と接続され、隔壁内の空間と連通する少なくとも一つの貫通ホールとを備え、汚染空気を隔壁内に排出する空気排出部を備える第１の空気処理部とを備える。
2016511020.tif 000002
【特許請求の範囲】
【請求項１】
一側が少なくとも一つの汚染空間と接続される第１の空気通路部と、前記汚染空間内の汚染空気を前記第１の空気通路部に流入させる第１の空気吸入部と、便器貯水槽内に形成される隔壁及び前記隔壁内に形成され、前記第１の空気通路部の他側と接続され、前記隔壁内の空間と連通する少なくとも一つの貫通ホールを備え、前記汚染空気を前記隔壁内に排出する空気排出部を備える第１の空気処理部とを備える、空気処理装置。
【請求項２】
前記貫通ホールは、前記空気排出部の上端部から下端部まで前記空気排出部に沿って複数形成される、請求項１に記載の空気処理装置。
【請求項３】
前記空気処理装置は、前記汚染空間内の汚染度によって前記便器貯水槽内の洗浄水の水位を調節することができる、請求項２に記載の空気処理装置。
【請求項４】
前記空気処理装置は、一側が前記隔壁内の空間と接続され、他側が第１の外部空間と接続される第２の空気通路部と、前記隔壁内の汚染空気を前記第２の空気通路部に流入させる第２の空気吸入部とをさらに備える、請求項１に記載の空気処理装置。
【請求項５】
前記第２の空気吸入部は、前記隔壁内に排出された汚染空気の量又は前記便器貯水槽内の洗浄水の水位によって吸入強度を調節することができる、請求項４に記載の空気処理装置。
【請求項６】
前記隔壁は、前記便器貯水槽内に形成される上部板と、前記上部板の終端から下部に形成され、終端が前記便器貯水槽の下部面と一定距離離隔して形成される側面板とを備える、請求項１に記載の空気処理装置。
【請求項７】
前記隔壁の下端は、前記便器貯水槽内の洗浄水の最低水位より低く形成される、請求項１に記載の空気処理装置。
【請求項８】
前記汚染空間は、便器内の便器ボウル、トイレ、台所、居間、ベランダ、喫煙室、休憩室、ごみ集積場、事務室、研究室、読書室、及び酸素濃度が予め設定された基準値未満の場所のうち少なくとも一である、請求項１に記載の空気処理装置。
【請求項９】
前記空気処理装置は、前記便器貯水槽内で前記第１の空気処理部と互いに離隔して形成される第２の空気処理部と、一側が第２の外部空間と接続され、他側が前記第２の空気処理部の空気排出部に接続される第３の空気通路部と、前記第２の外部空間の空気を前記第３の空気通路部に流入させる第３の空気吸入部と、一側が前記第２の空気処理部の隔壁に接続され、他側が室内空間と接続される第４の空気通路部と、前記第２の空気処理部の隔壁内の空気を前記第４の空気通路部に流入させる第４の空気吸入部とをさらに備える、請求項１に記載の空気処理装置。
【請求項１０】
前記第３の空気吸入部は、前記第３の空気通路部に流入した第２の外部空間の空気をろ過した後、前記第２の空気処理部に流入させる、請求項９に記載の空気処理装置。
【発明の詳細な説明】
【技術分野】
【０００１】
本発明の実施形態は、空気処理装置に関し、より詳しくは、便器貯水槽を利用した空気処理装置に関する。
【背景技術】
【０００２】
一般的に、トイレには、トイレ内を換気するために換気扇が設置されている。しかしながら、換気扇を作動させたとしてもトイレ内の空気を換気することができるだけで、トイレに設置された便器の便器ボウル内部の空気まで換気することはできない。そして、使用者がトイレで用を足した後、水を流しても便器ボウルの内部空間には悪臭及び細菌が残存し増殖する。このとき、便器ボウル内部の悪臭及び細菌は、トイレ全体に広がってトイレの空気が汚染される。また、便器ボウル内部の悪臭及び細菌は、トイレのみならず、家全体にまで広がって家全体の空気が汚染されてしまう。これによって、室内環境が非衛生的になり、お年寄り又は子供等が容易に病原菌に感染してしまうといった問題がある。
【０００３】
一方、アパートのような共同住宅施設の場合、共同住宅間に各換気扇の通気路が互いに接続されているため、換気扇を用いない場合、換気扇を通じて隣接する住宅の汚染空気が室内に流れ込むといった問題がある。
【先行技術文献】
【特許文献】
【０００４】
【特許文献１】韓国登録実用新案第２０−０２６２１６７号公報（２００２年３月１８日）
【発明の概要】
【発明が解決しようとする課題】
【０００５】
本発明の実施形態は、便器ボウルのような汚染空間内の汚染空気を処理することができる空気処理装置を提供する。
【０００６】
本発明の実施形態は、空気中に含まれる異物を除去した後、室内に排出することができる空気処理装置を提供する。
【課題を解決するための手段】
【０００７】
本発明の一実施形態による空気処理装置は、一側が少なくとも一つの汚染空間と接続される第１の空気通路部と、前記汚染空間内の汚染空気を前記第１の空気通路部に流入させる第１の空気吸入部と、便器貯水槽内に形成される隔壁及び前記隔壁内に形成され、前記第１の空気通路部の他側と接続され、前記隔壁内の空間と連通する少なくとも一つの貫通ホールを備え、前記汚染空気を前記隔壁内に排出する空気排出部を備える第１の空気処理部とを備える。
【０００８】
前記貫通ホールは、前記空気排出部の上端部から下端部まで前記空気排出部に沿って複数形成され得る。
【０００９】
前記空気処理装置は、前記汚染空間内の汚染度によって前記便器貯水槽内の洗浄水の水位を調節することができる。
【００１０】
前記空気処理装置は、一側が前記隔壁内の空間と接続され、他側が第１の外部空間と接続される第２の空気通路部と、前記隔壁内の汚染空気を前記第２の空気通路部に流入させる第２の空気吸入部とをさらに備えることができる。
【００１１】
前記第２の空気吸入部は、前記隔壁内に排出された汚染空気の量又は前記便器貯水槽内の洗浄水の水位によって吸入強度を調節することができる。
【００１２】
前記隔壁は、前記便器貯水槽内に形成される上部板と、前記上部板の終端から下部に形成され、終端が前記便器貯水槽の下部面と一定距離離隔して形成される側面板を備えることができる。
【００１３】
前記隔壁の下端は、前記便器貯水槽内の洗浄水の最低水位より低く形成され得る。
【００１４】
前記汚染空間は、便器内の便器ボウル、トイレ、台所、居間、ベランダ、喫煙室、休憩室、ごみ集積場、事務室、研究室、読書室、及び酸素濃度が予め設定された基準値未満の場所のうち少なくとも一であり得る。
【００１５】
前記空気処理装置は、前記便器貯水槽内で前記第１の空気処理部と互いに離隔して形成される第２の空気処理部と、一側が第２の外部空間と接続され、他側が前記第２の空気処理部の空気排出部に接続される第３の空気通路部と、前記第２の外部空間の空気を前記第３の空気通路部に流入させる第３の空気吸入部と、一側が前記第２の空気処理部の隔壁に接続され、他側が室内空間と接続される第４の空気通路部と、前記第２の空気処理部の隔壁内の空気を前記第４の空気通路部に流入させる第４の空気吸入部とをさらに備える。
【００１６】
前記第３の空気吸入部は、前記第３の空気通路部に流入した第２の外部空間の空気をろ過した後、前記第２の空気処理部に流入させることができる。
【発明の効果】
【００１７】
本発明の実施形態によると、汚染空間内の汚染空気を便器貯水槽を用いて処理することによって、使用者が便器を利用することで汚染空気が溶解された便器貯水槽内の洗浄水が自然に便器タンクに排出され、便器貯水槽内には、新たな洗浄水が供給されるため、汚染空間内の汚染空気を容易に処理することができる。また、空気処理装置では、外部と遮断された状態で汚染空間内の汚染空気を外部空間又は便器タンクに排出するため、汚染空気が外部から室内に流入することを遮断することができる。また、外部空気中の粉塵又は黄砂等のような異物を除去した後、異物が除去された新鮮な空気を室内に排出することができる。
【図面の簡単な説明】
【００１８】
【図１】本発明の一実施形態による空気処理装置を示した図である。
【図２】本発明の一実施形態による空気処理部が便器貯水槽内に形成された状態を示した図である。
【図３】本発明の一実施形態による空気処理装置において、便器貯水槽内の洗浄水が最高水位である場合、便器ボウル内の汚染空気が外部に排出される過程を示した図である。
【図４】本発明の一実施形態による空気処理装置において、便器貯水槽内の洗浄水が最低水位である場合、便器ボウル内の汚染空気が外部に排出される過程を示した図である。
【図５】本発明の他の実施形態による空気処理装置を概略的に示した図である。
【図６】本発明のさらに他の実施形態による空気処理装置を概略的に示した図である。
【発明を実施するための形態】
【００１９】
以下、図１〜６を参照して本発明の空気処理装置について詳しく説明する。しかしながら、これは例示的な実施形態に過ぎず、本発明はこれに制限されるものではない。
【００２０】
本発明を説明するにあたり、本発明に係る公知技術についての具体的な説明が、本発明の要旨を不明瞭にすると判断される場合には、その詳細な説明を省略する。そして、後述する用語は、本発明における機能を考慮して定義された用語であって、これは使用者、運用者の意図又は慣例等により変わり得る。従って、その定義は、本明細書の全般にわたる内容に基づいてなされるべきである。
【００２１】
本発明の技術的思想は特許請求の範囲によって定められ、以下の実施形態は、進歩性を有する本発明の技術的思想を本発明が属する技術分野における通常の知識を有する者に効率的に説明するための一手段に過ぎない。
【００２２】
図１は、本発明の一実施形態による空気処理装置を示す。
【００２３】
図１を参照すると、空気処理装置１００は、第１の空気通路部１０２と、第１の空気吸入部１０４と、空気処理部１０６と、第２の空気通路部１０８と、第２の空気吸入部１１０とを備える。
【００２４】
第１の空気通路部１０２の一側は、汚染空間と接続され、第１の空気通路部１０２の他側は、空気処理部１０６と接続される。第１の空気通路部１０２は、例えば、ダクト、パイプ、ホース等が用いられ得るが、これらに限定されるものではなく、それ以外の空気が移動し得る多様な器具を用いることができる。
【００２５】
ここで、汚染空間とは、悪臭及び各種細菌等によって空気が汚染された領域を言う。例えば、汚染空間は、トイレ内の便器１５０であり得る。このとき、第１の空気通路部１０２の一側は、便器ボウル１５１と接続され得る。便器ボウル１５１の上部には、便器カバー１５３が形成され得る。ここで、便器カバー１５３が開いている場合、便器ボウル１５１内の汚染空気は、トイレ全体に広がってトイレ全体が汚染される。このとき、汚染空気は、トイレの外部に徐々に広がって家全体が汚染される。そして、便器カバー１５３が閉じている場合、便器ボウル１５１内では、悪臭及び各種細菌が次第に繁殖して家が汚染される汚染源となる。
【００２６】
第１の空気吸入部１０４は、便器ボウル１５１内の汚染空気を吸入して第１の空気通路部１０２内に流入させる役割を果たす。第１の空気吸入部１０４は、例えば、空気を吸いこむ吸入ファンを備えることができる。この際、第１の空気吸入部１０４は、第１の空気通路部１０２内に少なくとも一つが設置され得る。しかしながら、これに限定されるものではなく、第１の空気吸入部１０４は、便器ボウル１５１内の汚染空気をさらに強く吸入するためにポンプを備えることができる。第１の空気吸入部１０４は、便器ボウル１５１（すなわち、汚染空間）内の汚染度によって吸入強度を調節することができる。
【００２７】
空気処理部１０６は、便器１５０の便器貯水槽１５５内に形成される。便器貯水槽１５５内には、洗浄水が貯蔵される。便器貯水槽１５５の上端には、便器貯水槽蓋１５７が開閉可能に形成される。便器貯水槽１５５は、接続通路１５９を通じて便器ボウル１５１と連通する。便器貯水槽１５５内の洗浄水は、使用者の操作によって便器ボウル１５１に排出される。
【００２８】
図２は、本発明の一実施形態による空気処理部が便器貯水槽内に形成された状態を示す。図１及び２を参照すると、空気処理部１０６は、便器貯水槽１５５内の角部分に形成され得る。しかしながら、空気処理部１０６の形成される位置がこれに限定されるものではない。
【００２９】
空気処理部１０６は、隔壁１２１と、空気排出部１２４とを備える。隔壁１２１は、便器貯水槽１５５の内壁に固定され設置される。隔壁１２１は、上部板１２１−１と、側面板１２１−２とを備える。上部板１２１−１は、便器貯水槽１５５の上端で便器貯水槽１５５の内壁に固定され得る。側面板１２１−２は、上部板１２１−１の終端から下部にそれぞれ延伸して形成され得る。
【００３０】
ここで、側面板１２１−２の終端は、便器貯水槽１５５の下部面と一定距離離隔して形成される。そして、隔壁１２１の下部は、開放され形成される。すなわち、隔壁１２１は、便器貯水槽１５５内の空間と連通して形成される。この場合、隔壁１２１の内部にも便器貯水槽１５５の洗浄水が流入する。
【００３１】
このとき、側面板１２１−２の終端は、便器貯水槽１５５内の洗浄水の最低水位より低く形成される。すなわち、側面板１２１−２の終端は、便器貯水槽１５５内の洗浄水の最低水位の場合、洗浄水に浸漬されるように形成される。ここで、便器貯水槽１５５内の洗浄水の最低水位とは、便器貯水槽１５５内の洗浄水が便器ボウル１５１に排出されたときの水位を言う。この場合、隔壁１２１内の空気は、常に便器貯水槽１５５内の空気と遮断された状態である。
【００３２】
隔壁１２１を通じて、空気処理部１０６は、便器貯水槽１５５内で独立された空間を有する。ここでは、隔壁１２１が四角柱状であるものと示したが、隔壁１２１の形態がこれに限定されるものではなく、それ以外の多様な形態で形成され得る。隔壁１２１は、便器貯水槽１５５と一体に形成され得るが、これに限定されるものではなく、便器貯水槽１５５と別途に製造された後、便器貯水槽１５５内に接続されることもできる。
【００３３】
空気排出部１２４は、隔壁１２１内に形成される。空気排出部１２４は、便器貯水槽１５５の深さ方向に沿って形成され得る。空気排出部１２４は、固定部１２７を通じて便器貯水槽１５５内に固定され得る。空気排出部１２４の一側は、第１の空気通路部１０２の他側と接続される。このとき、空気排出部１２４の一側は、接続部１２９を通じて第１の空気通路部１０２の他側と接続され得る。
【００３４】
空気排出部１２４の内部は、中空形状で形成される。この場合、空気排出部１２４の内部にも洗浄水が流入する。空気排出部１２４には、少なくとも一つの貫通ホール１３１が形成され得る。貫通ホール１３１は、空気排出部１２４の上端部から下端部まで空気排出部１２４に沿って所定間隔で複数形成され得る。貫通ホール１３１間の間隔は、一定に形成し得るが、これらに限定されるものではない。また、貫通ホール１３１の大きさは、一定に形成することもでき、互いに異なるように形成することもできる。少なくとも一つの貫通ホール１３１は、便器貯水槽１５５内の洗浄水の最高水位より高く形成され得る。空気排出部１２４は、第１の空気通路部１０２から流入した汚染空気を便器貯水槽１５５の内部に排出する。具体的には、第１の空気通路部１０２を通じて、空気排出部１２４に流入した汚染空気は、便器貯水槽１５５内の洗浄水に溶解されるか、或いは第２の空気通路部１０８を通じて外部に排出される。これに対する詳細な説明は、図３及び４を参照して後述する。
【００３５】
なお、図１を参照すると、第２の空気通路部１０８の一側は、空気処理部１０６に接続され、第２の空気通路部１０８の他側は、外部空間に接続される。ここで、外部空間は、室外（例えば、屋上等）となり得るが、これらに限定されるものではなく、外部空間は、下水溝のように汚物等を排出する器具の内部空間となり得る。第２の空気通路部１０８は、例えば、ダクト、パイプ、ホース等が用いられ得るが、これらに限定されるものではなく、それ以外の空気が移動し得る多様な器具が用いられ得る。
【００３６】
第２の空気吸入部１１０は、空気処理部１０６内の汚染空気を吸入し、第２の空気通路部１０８内に流入させる役割を果たす。第２の空気吸入部１１０は、例えば、空気を吸いこむ吸入ファンを備えることができる。このとき、第２の空気吸入部１１０は、第２の空気通路部１０８内に少なくとも一つが設置され得る。しかしながら、これに限定されるものではなく、第２の空気吸入部１１０は、空気処理部１０６内の汚染空気をさらに強く吸入するためにポンプを備えることもできる。第１の空気吸入部１０４及び第２の空気吸入部１１０でポンプを用いる場合、第１の空気吸入部１０４及び第２の空気吸入部１１０は、一体に形成されることもできる。
【００３７】
図３は、本発明の一実施形態による空気処理装置において、便器貯水槽内の洗浄水が最高水位である場合、便器ボウル内の汚染空気が外部に排出される過程を示す。ここで、洗浄水の最高水位は、便器貯水槽内の洗浄水が便器ボウルに排出された以後、便器貯水槽内に洗浄水がさらに供給され充填されるときの最高水位を言う。
【００３８】
図３を参照すると、第１の空気吸入部１０４を通じて、便器ボウル１５１内の汚染空気が第１の空気通路部１０２に流入する（丸付き数字１）。すると、第１の空気通路部１０２に流入した汚染空気は、第１の空気通路部１０２に沿って移動し、空気排出部１２４に流入する（丸付き数字２）。ここで、便器貯水槽１５５内の洗浄水が最高水位にある場合、空気排出部１２４の多くは、洗浄水に浸漬された状態となる。第１の空気吸入部１０４が便器ボウル１５１内の汚染空気を強く吸入する場合、空気排出部１２４の一側から汚染空気が噴射され空気排出部１２４内の洗浄水に溶解される（丸付き数字３）。そして、汚染空気が溶解された便器貯水槽１５５内の洗浄水は、使用者の操作によって接続通路１５９を通じて便器ボウル１５１に排出される（丸付き数字４）。次いで、便器ボウル１５１内の洗浄水は、使用者の操作によって便器タンク（図示しない）に流出する（丸付き数字５）。
【００３９】
ここで、便器貯水槽１５５内の洗浄水は、汚染空気が溶解するほど徐々に汚染される。しかしながら、便器貯水槽１５５内の洗浄水は、使用者が便器１５０を利用することで一日何度も便器ボウル１５１に排出されることになり、新たな洗浄水が必然的に供給されるため、便器貯水槽１５５内の洗浄水を人為的に交替する必要がなくなる。そして、便器ボウル１５１の汚染空気が溶解された洗浄水は、使用者が便器１５０を使用することで一日何度も便器タンク（図示しない）に排出されるため、トイレ内の空気を清潔に維持することができる。
【００４０】
一方、空気排出部１２４の貫通ホール１３１が便器貯水槽１５５内の洗浄水の最高水位より高く形成された場合、空気排出部１２４に流入した汚染空気は、貫通ホール１３１を通じて隔壁１２１内の空間に排出され得る。この場合、隔壁１２１内の汚染空気は、第２の空気通路部１０８を通じて外部空間に排出される。
【００４１】
図４は、本発明の一実施形態による空気処理装置において、便器貯水槽内の洗浄水が最低水位にある場合、便器ボウル内の汚染空気が外部に排出される過程を示す。
【００４２】
図４を参照すると、第１の空気吸入部１０４を通じて便器ボウル１５１内の汚染空気が第１の空気通路部１０２に流入する（丸付き数字１’）。すると、第１の空気通路部１０２に流入した汚染空気は、第１の空気通路部１０２に沿って移動し、空気排出部１２４に流入する（丸付き数字２'）。ここで、便器貯水槽１５５内の洗浄水が最低水位にある場合、空気排出部１２４の貫通ホール１３１は、空気中に露出された状態である。この場合、空気排出部１２４に流入した汚染空気は、貫通ホール１３１を通じて隔壁１２１内の空間に排出される（丸付き数字３'）。隔壁１２１の側面板１２１−２は、便器貯水槽１５５内の洗浄水の最低水位より低く形成されるため、隔壁１２１内の空間に排出された汚染空気は、隔壁１２１内の空間で外部と遮断された状態である。このとき、隔壁１２１内の汚染空気の一部は、便器貯水槽１５５の洗浄水に溶解され得る。汚染空気が溶解された便器貯水槽１５５の洗浄水は、図３に示したとおり、丸付き数字４及び丸付き数字５の過程を通じて便器タンク（図示しない）に排出される。次いで、第２の空気吸入部１１０を通じて隔壁１２１内の汚染空気を第２の空気通路部１０８に流入させる（丸付き数字４’）。それ故に、隔壁１２１内の汚染空気は、第２の空気通路部１０８を通じて外部空間に排出される。
【００４３】
一方、第２の空気吸入部１１０が作動しないうち、第２の空気通路部１０８を通じて外部空間の汚染空気が流入したとしても、外部空間の汚染空気は、隔壁１２１内の空間で密閉された状態であるため、外部空間の汚染空気がトイレに流入されることを防ぐことができる。このとき、隔壁１２１内に存在する外部空間の汚染空気は、第２の空気吸入部１１０が動作すると、第２の空気通路部１０８を通じて再び外部空間に排出される。本発明の実施形態によると、外部空間から室内に汚染空気が流入されることを遮断し、汚染空間内の汚染空気を排出することができる。
【００４４】
また、空気処理装置１００は、便器貯水槽１５５内の洗浄水の水位を調節する水位調節部（図示しない）を備えることができる。貫通ホール１３１が空気排出部１２４の上端部から下端部まで空気排出部１２４に沿って所定間隔で複数形成された場合、便器貯水槽１５５内の洗浄水の水位を調節することによって、空気排出部１２４を通じて排出される汚染空気の量を調節することができる。例えば、汚染空間内の汚染度が高い場合、便器貯水槽１５５内の洗浄水の水位を最低水位に調節すれば、全ての貫通ホール１３１が隔壁１２１内で空気中に露出するようになるため、多くの量の汚染空気が貫通ホール１３１を通じて隔壁１２１内の空間に排出される。このとき、隔壁１２１内の汚染空気は、第２の空気通路部１０８を通じて外部空間に排出される。隔壁１２１内の空間で多くの量の汚染空気が排出される場合、第２の空気吸入部１１０の吸入強度を強くして隔壁１２１内の汚染空気を迅速に第２の空気通路部１０８に流入させることができる。このように、汚染空間内の汚染度によって便器貯水槽１５５内の洗浄水の水位を調節して汚染空気を外部に排出することができる。そして、隔壁１２１内に排出された汚染空気の量（又は便器貯水槽１５５内の洗浄水の水位）によって第２の空気吸入部１１０の吸入強度を調節して汚染空気を迅速に外部に排出することができる。
【００４５】
図５は、本発明の他の実施形態による空気処理装置を概略的に示す。
【００４６】
図５を参照すると、第１の空気通路部１０２の一側は、複数で分岐され、便器ボウル、トイレ、台所等のような汚染空間とそれぞれ接続され得る。この場合、便器ボウル、トイレ、台所等のような汚染空間内の汚染空気は、第１の空気吸入部１０４を通じて空気処理部１０６に流入され、便器タンク（図示しない）に排出されるか、或いは第２の空気吸入部１０４及び第２の空気通路部１０８を通じて外部空間に排出される。ここでは、汚染空間として便器ボウル、トイレ、台所等を挙げたが、これらに限定されるものではなく、それ以外の様々な空間（例えば、居間、ベランダ、ごみ集積場、喫煙室、休憩室、事務室、研究室、読書室、及び酸素濃度が予め設定された基準値未満である場所等）に適用し得ることはいうまでもない。
【００４７】
図６は、本発明のさらに他の実施形態による空気処理装置を概略的に示す。
【００４８】
図６を参照すると、便器貯水槽１５５内に二つの空気処理部１０６−１及び１０６−２が互いに離隔して形成され得る。第１の空気処理部１０６−１は、前述したとおり、第１の空気通路部１０２及び第１の空気吸入部１０４を通じて流入した汚染空間内の汚染空気を便器タンク（図示しない）に排出するか、或いは第２の空気通路部１０８及び第２の空気吸入部１１０を通じて第１の外部空間に排出する。
【００４９】
第３の空気通路部１６２の一側は、第２の空気処理部１０６−２に接続（さらに詳しくは、第２の空気処理部１０６−２の空気排出部に接続）され、第３の空気通路部１６２の他側は、第２の外部空間に接続される。このとき、第２の外部空間は、第１の外部空間とは別途の空間であり得るが、これらに限定されるものではない。第２の外部空間は、建物外部の空間であり得る。第３の空気吸入部１６４は、第２の外部空間の空気を第３の空気通路部１６２に流入させる。このとき、第２の外部空間の空気には、黄砂、ロジン、粉塵等の異物が含まれ得る。第２の外部空間の空気を流入させるとき、第２の外部空間の空気をそのまま流入させることもでき、第２の外部空間の空気をろ過（又は浄化）した後、流入させることもできる。すなわち、第３の空気吸入部１６４は、第２の外部空間に含まれる異物（例えば、黄砂、粉塵、ロジン、花粉等）を一次ろ過した後、第２の空気処理部１０６−２に流入させることができる。第３の空気吸入部１６４は、第２の外部空間の汚染度に応じて吸入強度を調節することができる。
【００５０】
第４の空気通路部１６８の一側は、第２の空気処理部１０６−２に接続（さらに詳しくは、第２の空気処理部１０６−２の隔壁に接続）され、第４の空気通路部１６８の他側は、室内空間に接続される。ここで、室内空間とは、奥の間、勉強部屋、居間、台所、トイレ、休憩室となり得る。第４の空気吸入部１７０は、第２の空気処理部１０６−２内の空気を第４の空気通路部１６８に流入させる。
【００５１】
ここで、第３の空気通路部１６２及び第３の空気吸入部１６４を通じて第２の外部空間の空気を第２の空気処理部１０６−２に流入させれば、第２の外部空間の空気に含まれる異物（例えば、黄砂、ロジン、粉塵等）は、時間が経つほど第２の空気処理部１０６−２内で便器貯水槽１５５の洗浄水に浸漬され、洗浄水に溶解される。このとき、異物の溶解された洗浄水は、便器ボウル１５１を通して便器タンク（図示しない）に排出される。そうすると、第２の空気処理部１０６−２内には、異物が除去された第２の外部空間の空気が残存している。このとき、第４の空気吸入部１７０が第２の空気処理部１０６−２内の異物が除去された第２の外部空間の空気を第４の空気通路部１６８に流入させて室内空間に排出する。この場合、室内空間には、異物が除去された新鮮且つ綺麗な空気が排出される。
【００５２】
第２の空気処理部１０６−２は、異物が含まれる第２の外部空間の空気を浄化して室内空間に排出する役割を果たす。すなわち、建物外部（例えば、田舍のように空気がきれいであると思われる場所）の空気であるとしても空気中には、黄砂、ロジン、粉塵等の異物が含まれる場合が多い。このような異物が含まれる空気がそのまま室内に流入すれば、居住者の健康にむしろ悪影響を及ぼし得る。従って、２の空気処理部１０６−２を通じて異物が含まれる第２の外部空間の空気を浄化した後、室内空間に排出することによって、室内居住者は新鮮且つきれいな空気を吸引することができる。
【００５３】
このように、第１の空気処理部１０６−１を通じて汚染空間内の汚染空気を便器タンク（図示しない）又は第１の外部空間に排出して汚染空気を処理するようにし、第２の空気処理部１０６−２を通じて第２の外部空間の空気中の異物を除去した後、室内空間に排出して新鮮な空気を提供する。
【００５４】
ここでは、便器貯水槽１５５内に第１の空気処理部１０６−１及び第２の空気処理部１０６−２が全て形成されたものと示したが、これらに限定されるものではなく、便器貯水槽１５５内には、第１の空気処理部１０６−１及び第２の空気処理部１０６−２のうち何れか一つのみ形成されることもできる。
【００５５】
以上、代表的な実施形態を通じて本発明について詳細に説明したが、本発明が属する技術分野における通常の知識を有する者は、詳述した実施形態について本発明の範疇から外れない範囲内で様々な変形が可能であることを理解しなければならない。従って、本発明の権利範囲は説明された実施形態に限定して定めるべきではなく、後述する特許請求の範囲のみならず、この特許請求の範囲と均等なもの等によって定められるべきである。
【符号の説明】
【００５６】
１００：空気処理装置
１０２：第１の空気通路部
１０４：第１の空気吸入部
１０６：空気処理部
１０８：第２の空気通路部
１１０：第２の空気吸入部
１２１：隔壁
１２１−１：上部板
１２１−２：側面板
１２４：空気排出部
１２７：固定部
１２９：接続部
１３１：貫通ホール
１５０：便器
１５１：便器ボウル
１５３：便器カバー
１５５：便器貯水槽
１５７：便器貯水槽蓋
１５９：接続通路
１６２：第３の空気通路部
１６４：第３の空気吸入部
１６８：第４の空気通路部
１７０：第４の空気吸入部
【図１】
2016511020.tif 000003
【図２】
2016511020.tif 000004
【図３】
2016511020.tif 000005
【図４】
2016511020.tif 000006
【図５】
2016511020.tif 000007
【図６】
2016511020.tif 000008
【国際調査報告】
2016511020.tif 000009
2016511020.tif 000010
2016511020.tif 000011
2016511020.tif 000012